(57)【要約】【課題】セットとして使用する複数のリストバンドを短時間で精度良く作成可能にし、取り違いを発生しにくくすること。【解決手段】印刷媒体１には、リストバンドの輪郭形状の切り取り線２Ａ、２Ｂが印刷媒体１の幅方向に並列配置されている。この切り取り線２Ａ、２Ｂにより、大人用と子供用のリストバンドを作成するための１組のリストバンド形成領域３Ａ、３Ｂが規定されている。プリンター７は、上記のリストバンド形成領域３Ａ、３Ｂのレイアウトを前提として、印刷命令に含まれる個人情報の数および内容に基づき、各個人情報を、どのリストバンド形成領域に印刷するかを決定し、印刷データを設定する。このようなレイアウトを採用したことにより、これらのリストバンドがセットであることが明確になると共に、複数のリストバンドの作成時間を従来よりも短縮できる。【選択図】図１
2012061132.tif 000002
【特許請求の範囲】
【請求項１】
複数のリストバンドを長尺の印刷媒体から切り取るために、予め、複数のリストバンド形成領域の前記印刷媒体上におけるレイアウトを、前記複数のリストバンド形成領域が前記印刷媒体の幅方向に複数列に並ぶように決定しておき、
当該レイアウトに基づき、前記複数のリストバンド形成領域のそれぞれもしくはその一部に対して、リストバンドに表示する表示情報を印刷することを特徴とする印刷方法。
【請求項２】
請求項１において、
前記レイアウトは、形状の異なる複数種類の前記リストバンド形成領域を前記印刷媒体の幅方向に並列に並んだものであることを特徴とする印刷方法。
【請求項３】
請求項２において、
前記レイアウトは、長さの異なる２種類の前記リストバンド形成領域が前記印刷媒体の幅方向に並列に並ぶと共に、当該２種類のうちの長い方のリストバンド形成領域を１本配置する毎に短い方のリストバンド形成領域を前記印刷媒体の長手方向に複数本直列に配置したものであることを特徴とする印刷方法。
【請求項４】
請求項１ないし３のいずれかの項において、
前記印刷媒体への印刷を行うプリンターと上位装置とを通信可能に構成し、
当該上位装置から前記プリンターに、前記複数のリストバンドあるいはその一部を作成するための印刷命令を送信し、
当該印刷命令および前記レイアウトに基づき、前記表示情報の前記印刷媒体上における印刷位置を前記プリンター側で設定することを特徴とする印刷方法。
【請求項５】
請求項４において、
前記上位装置において、
所定の入力フォームから個人情報の入力を受け付けると共に、入力された個人情報を含む前記印刷命令を生成し、
前記プリンターにおいて、
前記印刷命令に含まれる前記個人情報を、各リストバンド形成領域に印刷する前記表示情報に１人分ずつ含めると共に、
各個人情報の内容に基づき、当該各個人情報を前記複数のリストバンド形成領域のうちのどの領域に印刷するかを決定することを特徴とする印刷方法。
【請求項６】
請求項５において、
前記個人情報の内容に基づき、当該個人情報を含む前記表示情報の少なくとも一部の印刷色を決定することを特徴とする印刷方法。
【請求項７】
請求項５または６において、
対応する内容の個人情報が前記印刷命令に含まれていない前記リストバンド形成領域に対しては、前記表示情報の印刷を行わないことを特徴とする印刷方法。
【請求項８】
請求項１ないし７のいずれかの項において、
前記印刷媒体として、予め、前記セットで使用する複数のリストバンドに対応する輪郭形状および数の切り抜き線を、前記印刷媒体の幅方向に複数列に並べて形成したものを用い、
前記切り抜き線によって規定される前記レイアウトに基づき、前記複数のリストバンド形成領域のそれぞれもしくはその一部に対して、前記表示情報を印刷することを特徴とする印刷方法。
【請求項９】
長尺の印刷媒体を搬送しながら印刷を行うプリンターであって、
請求項１ないし８のいずれかの項に記載の印刷方法に用いられ、前記印刷媒体上に設定した前記リストバンド形成領域に前記表示情報を印刷することを特徴とするプリンター。
【発明の詳細な説明】
【技術分野】
【０００１】
本発明は、リストバンドを作成するためのバンド基材からなる長尺の印刷媒体にリストバンドへの表示情報を印刷するための印刷方法およびプリンターに関する。
【背景技術】
【０００２】
従来から、病院などにおいて、患者の診療科、氏名、年齢、血液型などの個人情報を印刷などによって表示したリストバンドを患者に装着させて、患者の特定を確実にすることが行われている。また、各種の施設利用者や、イベントの参加者に必要な情報を印刷したリストバンドを装着させて、必要な情報を特定可能にすることが行われている。
【０００３】
この種のリストバンドを作成するために、長尺の帯状のバンド基材からなる印刷媒体に、予め、リストバンドの形状に切り取るためのミシン目などの切り取り線を形成したものが用いられる。そして、このような印刷媒体をプリンターにセットしやすいようにロール状に巻いておき、プリンターにセットしたロールから引き出した印刷媒体のリストバンド形状の部分（切り取り線に囲まれた部分）に、リストバンドへの表示情報である個人情報などを印刷する。そして、印刷済みの部分から切り取り線に沿ってリストバンドを切り離すことにより、リストバンドを作成することができる。
【０００４】
ここで、複数のリストバンドをセットで作成したいという要望がある。例えば、病院において親子の取り違えを防止するために、親子それぞれの個人情報や、親子であることを示す共通の情報などを印刷したリストバンドを母親用と新生児用に２つ作成したいという要望がある。また、親子やカップル、グループで施設を利用するなどの際に、ペアやグループであることを確認できるようにするために、各人の情報をそれぞれ印刷し、必要に応じて共通の情報を印刷した複数のリストバンドを人数分だけセットで作成したいという要望がある。
【０００５】
従来のリストバンド用の印刷媒体は、リストバンド形状の切り取り線が印刷媒体の長手方向に１列に並んで形成されており、同じロールでは同一形状のリストバンドしか作成できない。このため、母親用と新生児用のサイズの異なるリストバンドをセットで作成する場合、２台のプリンターに異なる印刷媒体のロールをセットして印刷するか、もしくは、印刷媒体のロールを途中で取り替えて、１台のプリンターで２種類のリストバンドを印刷する必要がある。しかしながら、２台のプリンターを用いる方法は設備コストが大きい。一方、印刷媒体のロールをサイズが変わる毎に取り替える方法では作業手間が掛かり、セットのリストバンドを短時間で印刷することができない。
【０００６】
特許文献１には、１種類の印刷媒体のロールを用いて、サイズの異なる２種類のリストバンドを選択的に作成可能にした構成が開示されている。特許文献１のリストバンドは、リストバンド本体にタグ収容部を設けておき、タグ収容部に患者情報が印刷された印刷タグを入れてリストバンドとして使用することにより、リストバンド本体を再利用できるようにしている。そして、子供用と大人用の２種類のサイズのリストバンド本体が用意されており、リストバンド本体のサイズに対応させて、大人用の印刷タグは幅広に作成し、子供用の印刷タグは幅狭に作成する。
【０００７】
特許文献１では、サイズの異なる上記の２種類の印刷タグを、同一の印刷媒体から作成できるようにしている。すなわち、特許文献１の印刷媒体は、左右の側端寄りの各位置にミシン目が形成されており、いずれか一方のミシン目で切り取ると大人用のサイズの印刷タグを作成できる。また、他方のミシン目で切り取ると、子供用のサイズの印刷タグを作成できる。従って、どちらのミシン目で切り取るか、および、切り取り位置に合わせて左端基準と右端基準のどちらを採用して印刷を行うかを選択して印刷することにより、大人用の幅広な印刷タグと、子供用の幅狭な印刷タグを選択的に作成できる。
【先行技術文献】
【特許文献】
【０００８】
【特許文献１】特開２００７−２１５９９１号公報
【発明の概要】
【発明が解決しようとする課題】
【０００９】
特許文献１の印刷媒体は、予め２つの位置にミシン目を形成しておくことにより、切り取り位置を選択可能にして、１つの媒体から２種類の印刷タグを作成できるようにしている。よって、母親用と子供用などのサイズの異なる２種類のリストバンドを、ロール交換の手間をかけずに短時間で作成可能である。
【００１０】
しかしながら、特許文献１の構成を印刷媒体から直接リストバンドを切り取るリストバンドの作成方法に適用したとしても、ロール交換の手間はなくなるものの、１回に１枚ずつリストバンドを印刷しなければならないことに変わりはない。このため、１台のプリンターで印刷する場合にはリストバンドの数に応じた印刷時間がかかり、セットのリストバンドを短時間で作成することはできない。また、１回に１枚ずつリストバンドを印刷するため、セットとして取り扱うべきリストバンドがばらばらになってしまうおそれがある。
【００１１】
本発明の課題は、このような点に鑑みて、複数のリストバンドを短時間で精度良く作成でき、取り違いが発生しにくいリストバンド用の印刷媒体への印刷方法およびプリンターを提案することにある。
【課題を解決するための手段】
【００１２】
上記の課題を解決するために、本発明の印刷方法は、
複数のリストバンドを長尺の印刷媒体から切り取るために、予め、複数のリストバンド形成領域の前記印刷媒体上におけるレイアウトを、前記複数のリストバンド形成領域が前記印刷媒体の幅方向に複数列に並ぶように決定しておき、
当該レイアウトに基づき、前記複数のリストバンド形成領域のそれぞれもしくはその一部に対して、リストバンドに表示する表示情報を印刷することを特徴としている。
【００１３】
本発明は、このような構成により、リストバンド形成領域が印刷媒体の幅方向に並列配置され、各リストバンド形成領域に表示情報が印刷された印刷媒体片を作成できる。よって、セットとして使用するための複数のリストバンドあるいはその一部を、この印刷媒体片から切り取ることができる。このように、リストバンド形成領域を印刷媒体の幅方向に並列配置すると、これらがセットのリストバンドを作成するためのものであることが明確にわかる。従って、セットのリストバンドの取り違いや欠損などが発生しにくい。これに対し、印刷媒体の長手方向にリストバンド形成領域を一列に配置した場合には、どのリストバンドとどのリストバンドがセットになっているかを間違うおそれがあり、セットの中身の取り違いや欠損が発生するおそれがある。また、この印刷方法によれば、複数のリストバンド形成領域への表示情報の印刷を並行して一度に行うことができるため、従来の１本ずつ印刷する方法と比較して短時間で印刷できる。よって、セットのリストバンドを短時間で間違いなく作成できる。更に、この方法では、複数本のリストバンドを、無駄なスペースを作らないように印刷媒体上にレイアウトできるため、印刷媒体の無駄な消費を抑制できる。よって、リストバンドの作成コストおよび環境に対する負荷を削減できる。
【００１４】
本発明において、前記複数のリストバンド形成領域が、形状の異なる複数種類の前記リストバンド形成領域を含む場合には、前記レイアウトを、これらが前記印刷媒体の幅方向に並列に並んだものとすることができる。このようにすると、異なる形状の複数のリストバンドを１回の印刷で作成できる。また、異なる形状のリストバンドを作成するために印刷媒体のロールを入れ替える必要がなく、２台のプリンターを用いる必要もない。よって、セットのリストバンドを低コストで、且つ、短時間で作成できる。
【００１５】
また、前記複数のリストバンド形成領域が、長さの異なる２種類の前記リストバンド形成領域を含む場合には、前記レイアウトを、長さの異なる２種類の前記リストバンド形成領域が前記印刷媒体の幅方向に並列に並ぶと共に、当該２種類のうちの長い方のリストバンド形成領域を１本配置する毎に短い方のリストバンド形成領域を前記印刷媒体の長手方向に複数本直列に配置したものとすることができる。このようにすると、長いリストバンド１本に対して、短いリストバンド複数本を含むセットを一度の印刷で作成できる。また、印刷媒体の幅方向の無駄なスペースだけでなく、長手方向の無駄なスペースについても有効利用できるため、印刷媒体の無駄な消費を更に抑制できる。よって、リストバンドの作成コストおよび環境に対する負荷を更に削減できる。
【００１６】
ここで、前記印刷媒体への印刷を行うプリンターと上位装置とを通信可能に構成し、当該上位装置から前記プリンターに、前記複数のリストバンドあるいはその一部を作成するための印刷命令を送信し、当該印刷命令および前記レイアウトに基づき、前記表示情報の前記印刷媒体上における印刷位置を前記プリンター側で設定することが望ましい。このように、プリンター側に表示情報の印刷位置を設定するためのプログラムを組み込んでおくことにより、リストバンドの作成時にユーザー側でリストバンド形成領域のレイアウトを指定する必要がない。よって、セットのリストバンドの作成を容易に且つ間違いなく行うことができる。
【００１７】
この場合に、前記上位装置において、所定の入力フォームから個人情報の入力を受け付けると共に、入力された個人情報を含む前記印刷命令を生成し、前記プリンターにおいて、前記印刷命令に含まれる前記個人情報を、各リストバンド形成領域に印刷する前記表示情報に１人分ずつ含めると共に、各個人情報の内容に基づき、当該各個人情報を前記複数のリストバンド形成領域のうちのどの領域に印刷するかを決定することができる。このように、入力フォームに従って個人情報を入力することにより、印刷すべき個人情報の入力漏れを防止できる。また、個人情報の内容に基づいて自動でその印刷先を決定することにより、各リストバンド形成領域に適切な情報を印刷できる。例えば、親子用のセットのリストバンドを作成する場合に、各個人情報に含まれる生年月日に基づき、各個人情報を、子供用と親用のサイズの異なるリストバンド形成領域のどちらに印刷するかを適切に判断できる。
【００１８】
また、前記個人情報の内容に基づき、当該個人情報を含む前記表示情報の少なくとも一部の印刷色を決定することもできる。このようにすると、性別によって色の異なるカラー表示がなされたリストバンドを作成することができる。また、性別以外の他の属性によってリストバンドの表示色を変えることもできる。
【００１９】
また、この場合に、対応する内容の個人情報が前記印刷命令に含まれていない前記リストバンド形成領域に対しては、前記表示情報の印刷を行わないように構成することができる。例えば、子供の個人情報が印刷命令に含まれていない場合には、子供用のリストバンド形成領域には表示情報を印刷しないようにすることができる。このようにすれば、セットの一部のリストバンドのみの作成にも対応できる。
【００２０】
本発明において、前記印刷媒体として、予め、前記セットで使用する複数のリストバンドに対応する輪郭形状および数の切り抜き線を、前記印刷媒体の幅方向に複数列に並べて形成したものを用い、前記切り抜き線によって規定される前記レイアウトに基づき、前記複数のリストバンド形成領域のそれぞれもしくはその一部に対して、前記表示情報を印刷することが望ましい。このようにすると、セットとして使用するための複数のリストバンドを、表示情報を印刷した後の印刷媒体片から切り取り線に沿って切り取るだけでよいため、リストバンドの作成が容易である。
【００２１】
次に、本発明は、長尺の印刷媒体を搬送しながら印刷を行うプリンターであって、
上記の印刷方法に用いられ、前記印刷媒体上に設定した前記リストバンド形成領域に前記表示情報を印刷することを特徴としている。
【発明の効果】
【００２２】
本発明によれば、複数のリストバンド形成領域が幅方向に並列配置され、各リストバンド形成領域にリストバンドとして使用するための表示情報が印刷された印刷媒体片を作成できる。よって、セットとして使用するための複数のリストバンドあるいはその一部を、この印刷媒体片から切り取ることができる。このように、複数のリストバンド形成領域を並列配置すると、これらがセットのリストバンドを作成するためのものであることが明確にわかる。従って、セットのリストバンドの取り違いや欠損などが発生しにくい。また、複数のリストバンド形成領域への表示情報の印刷を並行して一度に行うことができるため、従来の１本ずつ印刷する方法と比較して短時間で印刷できる。よって、セットのリストバンドを短時間で間違いなく作成できる。更に、複数本のリストバンドを、無駄なスペースを作らないように印刷媒体上にレイアウトできるため、印刷媒体の無駄な消費を抑制できる。よって、リストバンドの作成コストおよび環境に対する負荷を削減できる。
【図面の簡単な説明】
【００２３】
【図１】リストバンド用印刷媒体の平面図である。
【図２】印刷媒体のリストバンド形成領域に表示情報を印刷するための印刷システムの説明図である。
【図３】リストバンド形成領域への表示情報の印刷処理のフローチャートである。
【図４】複数のリストバンド形成領域のレイアウトの改変例を示す説明図である。
【発明を実施するための形態】
【００２４】
以下に、図面を参照して、本発明を適用したリストバンド用の印刷媒体への印刷方法の実施の形態を説明する。
【００２５】
図１はリストバンド用印刷媒体の平面図である。リストバンド用印刷媒体１（以下、印刷媒体１という）は、一定幅の長尺の帯状に形成されている。印刷媒体１は、病院において、患者の手首や足首などに巻き付けて使用するリストバンドとして用いるのに適した素材で形成されている。印刷媒体１の表面には、帯状のリストバンドの輪郭線に沿った形状の切り取り線２Ａ、２Ｂが形成されている。この切り取り線２Ａ、２Ｂに沿って、ハーフカット加工やミシン目などの手で切り取ることが可能な加工が施されている。
【００２６】
印刷媒体１における切り取り線２Ａによって囲まれた領域は、大人用の大型のリストバンドを作成するためのリストバンド形成領域３Ａである。一方、切り取り線２Ｂによって囲まれた領域は、子供用の小型のリストバンドを作成するためのリストバンド形成領域３Ｂである。リストバンド形成領域３Ａ、３Ｂはその形状および大きさが異なっている。印刷媒体１には、その幅方向にリストバンド形成領域３Ａ、３Ｂが１本ずつ並列に配置されており、これらの２列に並んだリストバンド形成領域３Ａ、３Ｂが、印刷媒体１の長手方向に一定間隔で繰り返し配置された構成となっている。これにより、一定長さの印刷媒体１ごとに、子供用と大人用のリストバンドを１本ずつセットで作成できる構成となっている。
【００２７】
リストバンド形成領域３Ａ、３Ｂの長手方向の両端には、リストバンドとして使用するときに環状に留めるための係止穴４が形成されている。また、リストバンド形成領域３Ａ、３Ｂの長手方向の中間部分には、患者の個人情報を含む各種の表示情報を印刷するための表示部５Ａ、５Ｂが設けられている。印刷媒体１における表示部５Ａ、５Ｂの位置は、リストバンド形成領域３Ａ、３Ｂのレイアウトに応じた位置となる。従って、後述する印刷処理の説明において述べるように、表示部５Ａ、５Ｂに表示情報を印刷する場合には、予め決定されたリストバンド形成領域３Ａ、３Ｂのレイアウトを考慮して、各表示情報の印刷位置を設定する。
【００２８】
図２は、印刷媒体のリストバンド形成領域に表示情報を印刷するための印刷システムの説明図である。印刷システム６は、印刷媒体１に印刷を行うためのプリンター７と、当該プリンター７と通信可能な上位装置８を備えている。プリンター７にはロール状に巻いた印刷媒体１が装填されている。プリンター７の制御部は、プリンター７の各部を制御して、ロールから引き出した印刷媒体１を搬送しながら、切り取り線２Ａ、２Ｂによって規定されるリストバンド形成領域３Ａ、３Ｂのレイアウトに従い、表示部５Ａ、５Ｂに表示情報を印刷する。
【００２９】
上位装置８は、リストバンドを作成するために必要な各種の情報の入力、および、入力した情報に基づいてプリンター７での印刷を実行させるための実行開始命令の入力を受け付ける。そして、これに基づいて印刷命令を生成して、プリンター７に送信する。上位装置８は、これらの入力をユーザーに促すために、表示画面上に入力フォーム９を表示するように構成されている。そして、入力フォーム９の各欄への入力をキーボードなどの入力手段から受け付ける。本実施形態では、子供用と大人用のリストバンドを１本ずつ含むセットのリストバンドを作成するため、入力フォーム９には、大人と子供（患者Ａ、Ｂ）の２人分の個人情報を入力するための入力欄９Ａ、９Ｂが設けられている。
【００３０】
図３は、リストバンド形成領域への表示情報の印刷処理のフローチャートである。図２の入力フォーム９に必要な情報を入力した後、ユーザーが出力ボタン９Ｃをクリックすると、上位装置８において印刷の実行開始命令が入力されたと判断されて印刷命令が生成され、プリンター７に送信される。この印刷命令には、入力欄９Ａへの入力情報が患者Ａの個人情報として含まれ、入力欄９Ｂへの入力情報が患者Ｂの個人情報として含まれている。プリンター７は、この印刷命令を受信したことに基づき、図３のフローチャートの処理を開始する。
【００３１】
まず、ステップＳ１において、プリンター７の制御部は、受信した印刷命令に、２人分の個人情報が含まれているか否か、すなわち、１番目の入力欄９Ａに入力される患者Ａの個人情報だけでなく、２番目の入力欄９Ｂに入力される患者Ｂの個人情報まで含まれているか否かを判定する。ステップＳ１において、印刷命令に患者Ａの個人情報のみが含まれている場合には（ステップＳ１：Ｎｏ）、ステップＳ２に進む。一方、印刷命令に２人分の個人情報が含まれている場合、すなわち、患者Ｂの個人情報まで含まれている場合には（ステップＳ１：Ｙｅｓ）、ステップＳ３に進む。
【００３２】
ステップＳ２に進んだ場合には、プリンター７の制御部は、患者Ａの個人情報を、大人用のリストバンドを作成するためのリストバンド形成領域３Ａに印刷する表示情報に含めるように、印刷データを設定する。そして、子供用のリストバンドに対応する個人情報が欠損しているため、リストバンド形成領域３Ｂには表示情報を印刷しないように、印刷データを設定する。ここで、上述したように、印刷媒体１には予め切り取り線２Ａ、２Ｂが形成されている。従って、印刷媒体１における表示部５Ａ、５Ｂの配置、および、これを規定するリストバンド形成領域３Ａ、３Ｂの印刷媒体１上におけるレイアウトは、これらを印刷媒体１の幅方向に並列配置したものであることが、予め決定されている。そこで、プリンター７の制御部は、この予め決定されたレイアウトに従い、表示情報を表示部５Ａの位置に正確に印刷できるように、印刷データを設定する。そして、ステップＳ６に進む。プリンター７の制御部には、このような印刷位置の決定を行うためのプログラムやデータが予め組み込まれている。
【００３３】
一方、ステップＳ３に進んだ場合には、プリンター７の制御部は、患者Ａ、Ｂの個人情報を比較する。本実施形態では、入力欄９Ａ、９Ｂに、氏名、カルテＮｏ、性別、血液型などと共に、生年月日の入力欄が設けられているため、個人情報には、これらの情報が含まれている。プリンター７は、患者Ａ、Ｂの個人情報の中から生年月日の情報を抽出し、どちらの生年月日が古い日付であるかを判定する。１人目の患者Ａの方が生年月日が古い場合には（ステップＳ３：Ｙｅｓ）、ステップＳ４に進む。一方、１人目の患者Ａの方が生年月日が新しい場合には（ステップＳ３：Ｎｏ）、ステップＳ５に進む。
【００３４】
ステップＳ４に進んだ場合には、１人目の患者Ａの個人情報（生年月日が古い方の個人情報）を、大人用のリストバンドを作成するためのリストバンド形成領域３Ａに印刷する表示情報に含めるように、印刷データを設定する。そして、これと共に、２人目の患者Ｂの個人情報（生年月日が新しい方の個人情報）を、子供用のリストバンドを作成するためのリストバンド形成領域３Ｂに印刷する表示情報に含めるように、印刷データを設定する。そして、ステップＳ６に進む。
【００３５】
一方、ステップＳ５に進んだ場合には、２人目の患者Ｂよりも１人目の患者Ａの方が生年月日が新しいため、患者Ａの個人情報ではなく、２人目の患者Ｂの個人情報（すなわち、生年月日が古い方の個人情報）を、大人用のリストバンドを作成するためのリストバンド形成領域３Ａに印刷する表示情報に含めるように、印刷データを設定する。そして、これと共に、１人目の患者Ａの個人情報（生年月日が新しい方の個人情報）を、子供用のリストバンドを作成するためのリストバンド形成領域３Ｂに印刷する表示情報に含めるように、印刷データを設定する。そして、ステップＳ６に進む。
【００３６】
ここで、ステップＳ４、Ｓ５においても、ステップＳ２と同様に、プリンター７の制御部は、印刷媒体１上におけるリストバンド形成領域３Ａ、３Ｂのレイアウトが、印刷媒体１の幅方向に並列配置されたものであることを前提として、この予め決定されたレイアウトに従い、各表示情報を表示部５Ａ、５Ｂの位置に正確に印刷できるように、印刷データを設定する。
【００３７】
ステップＳ６では、プリンター７の制御部は、設定した印刷データに従ってプリンター７の各部を制御して、リストバンド形成領域３Ａ、３Ｂの両方あるいは一方に、表示情報を印刷する。すなわち、ステップＳ２においてリストバンド形成領域３Ａのみに表示情報を印刷するように印刷データを設定した場合には、この印刷データに従い、表示部５Ａのみに表示情報を印刷する。これに対し、ステップＳ４あるいはステップＳ５において、リストバンド形成領域３Ａ、３Ｂの両方に表示情報を印刷するように印刷データを設定した場合には、上記の設定どおりに、年齢が高い方の患者の個人情報を含む表示情報を表示部５Ａに印刷し、年齢が若い方の患者の個人情報を含む表示情報を表示部５Ｂに印刷する。このとき、表示部５Ａ、５Ｂへの印刷を並行して１度に行う。
【００３８】
以上の処理により、１組の切り取り線２Ａ、２Ｂが並列配置された印刷媒体１の部分に、大人用のリストバンドと子供用のリストバンドの両方を作成するための表示情報の印刷が完了する。また、必要に応じて、大人用のリストバンドのみを作成するための表示情報の印刷にも対応できる。従って、印刷媒体１における印刷済みの部分を切断し、切断済みの印刷媒体片から切り取り線２Ａ、２Ｂに沿って印刷媒体１を切り抜くことにより、必要なリストバンドを作成することができる。作成したリストバンドは、病院において新生児とその母親に間違いなく取り付けることができるため、産まれた子供の取り違えを防止することができる。また、上記の印刷方法は、各種の状況において親子に取り付けるリストバンドや、大きさの異なる複数の物体をセットで取り扱うときにこれらの物体に識別用に取り付けるための表示バンドなどの作成にも適用することができる。
【００３９】
本実施形態では、このように、１組のセットのリストバンドを構成する複数のリストバンド形成領域を印刷媒体の幅方向に並列に配置するというレイアウトを採用しているため、この２本のリストバンドがセットとして用いるものであることが明確にわかる。よって、作成時にリストバンドの取り違いや欠損などが発生しにくいという利点がある。また、このようなレイアウトを採用すると、印刷時に、複数のリストバンドを作成するための表示情報の印刷を並行して一度に行うことができる。従って、従来の１本ずつ印刷する方法と比較して、短時間で複数のリストバンドへの表示情報を印刷できる。よって、セットのリストバンドを短時間で作成できる。更に、このようなレイアウトを採用すると、リストバンド形成領域を１列に配置したときには余白となってしまっていた領域をリストバンドの作成に有効利用することができる。従って、印刷媒体の無駄な消費を抑制でき、リストバンドの作成コストおよび環境に対する負荷を削減できる。
【００４０】
また、本実施形態では、大人用のリストバンドと子供用のリストバンドの両方をセットで作成する場合に、予め設定したレイアウトに基づき、プリンター７側で表示情報の印刷位置を正確に設定することができる。よって、大人と子供の個人情報を適切なリストバンド形成領域内に正確に印刷できる。このように、プリンター７側にレイアウトを判断するためのプログラムを組み込んでおくことにより、リストバンドの作成時にユーザー側でレイアウトを指定する必要がない。よって、セットのリストバンドの作成を、容易に、且つ、間違いなく行うことができる。
【００４１】
（改変例）
（１）図４は、複数のリストバンド形成領域のレイアウトの改変例を示す説明図である。上記実施形態は、大小のリストバンド形成領域３Ａ、３Ｂを１本ずつ並列配置したものであったが、本例では、長い１本のリストバンド形成領域と、短いリストバンド形成領域を複数本直列に配置したものとを、印刷媒体の幅方向に並列配置している。図４に示すように、改変例では、子供用のリストバンド形成領域１３Ｂが、大人用のリストバンド形成領域１３Ａのほぼ半分の長さとなっている。そこで、大人用のリストバンド形成領域１３Ａを１本配置した隣に、子供用のリストバンド形成領域１３Ｂを２本直列に配置している。これにより、大人用のリストバンド１本と、子供用のリストバンド２本の合計３本のリストバンドをセットで作成できる。このようなリストバンドは、双子などの２人の子供と、その母親に取り付けるためのリストバンドとして使用することができる。
【００４２】
３本のリストバンドをセットで作成する場合には、印刷命令の作成時に、３人分の個人情報を入力することが望ましい。従って、この場合には、上位装置８に、３人分の個人情報の入力が可能な入力フォームを表示する。そして、最も生年月日が古い個人情報に基づき、大人用のリストバンドを作成し、他の個人情報に基づき、子供用のリストバンドを作成すればよい。
【００４３】
（２）上記実施形態では、複数のリストバンド形成領域を２列に配置するレイアウトを採用していたが、３本以上のリストバンド形成領域を３列以上に配置するレイアウトを採用してもよい。また、複数列に配置する場合に、上記改変例（１）と同様に、ある列に１本のリストバンド形成領域を配置する毎に、別の列に複数本のリストバンド形成領域を直列に並べて配置するレイアウトを採用してもよい。このようにすると、印刷媒体の幅方向の余白だけでなく、長手方向の余白までも活用できる。このように、セットで作成するリストバンドの数およびその形状に応じて、リストバンド形成領域のレイアウトを適宜設定することができる。そして、決定したレイアウトに従って各表示情報の印刷位置をプリンター７側で自動に設定することができる。更に、入力フォームについても、作成するリストバンドの数に応じた数の個人情報を入力できるように構成し、プリンター側において個人情報の内容を適宜判別して、各個人情報が適切なリストバンド形成領域に印刷されるように印刷データを設定することができる。
【００４４】
（３）上記実施形態では、形状の異なるリストバンド形成領域を並列に配置しているが、同一形状の複数のリストバンド形成領域を並列に配置してもよい。例えば、男性用と女性用のリストバンドをペアで作成する場合に、このようなレイアウトを採用するとよい。この場合には、男性の個人情報を含む表示情報と、女性の個人情報を含む表示情報の少なくとも一部を印刷色を異ならせて印刷することにより、男性用と女性用のリストバンドの取り違えを防止することができる。また、通常の表示情報については性別にかかわらず同一色で印刷し、リストバンドの表示部あるいはこれ以外の部分に、性別に応じた色のカラー表示を追加で印刷することもできる。なお、性別以外の情報に基づいて表示情報の色分け印刷を行っても良い。例えば、血液型別に異なる色のマークを印刷しても良い。
【００４５】
（４）上記実施形態では、１人分の個人情報に基づいて１本のリストバンドを作成するように構成しているが、１人分の個人情報に基づいて複数本のリストバンドを作成するように構成してもよい。例えば、１人の患者が何種類かのリストバンドを使用する場合に、このような構成を採用することができる。
【符号の説明】
【００４６】
１…リストバンド用印刷媒体（印刷媒体）、２Ａ、２Ｂ…切り取り線、３Ａ、３Ｂ…リストバンド形成領域、４…係止穴、５Ａ、５Ｂ…表示部、６…印刷システム、７…プリンター、８…上位装置、９…入力フォーム、９Ａ、９Ｂ…入力欄、９Ｃ…出力ボタン、１３Ａ、１３Ｂ…リストバンド形成領域
【図１】
2012061132.tif 000003
【図２】
2012061132.tif 000004
【図３】
2012061132.tif 000005
【図４】
2012061132.tif 000006